(57)【要約】【課題】イヤホンを接続して機器を利用しようとした場合に、メニュー操作を行なう必要なく、素早く所望の機能を実行させることが可能になる電子機器を提供する。【解決手段】操作ボタン付きイヤホンマイク２１が接続されている状態においてボタンＢｎが押下操作された場合には、押下操作されたボタンＢｎに対応した音声再生に係る第１制御（音量調整／再生／停止／次送り／頭出し／前送りなど）を行ない、ボタンＢｎを押下操作した状態でイヤホンマイク２１の接続が検出された場合には、選択機能設定データおよび選択機能自動選択モードデータにより予めボタンＢｎに対応付けられて設定されたメイン機能（リスニング練習／スピーキング練習／英和辞書など）またはサブ機能（選択中のメイン機能に応じたコンテンツ）を選択する第２制御を実行する。【選択図】      図６
2020150397.tif 000002
【特許請求の範囲】
【請求項１】
操作ボタン付きイヤホンを接続可能な電子機器であって、
プロセッサを備え、
前記プロセッサは、
前記イヤホンが既に接続された状態で前記操作ボタンの操作を検出した場合に、前記イヤホンからの音声再生の状態を制御する第１制御を実行し、
前記操作ボタンが押された状態で前記イヤホンの接続を検出した場合に、前記押された操作ボタンに対応付けられている機能またはコンテンツを選択する前記第１制御とは異なる第２制御を実行する、
電子機器。
【請求項２】
前記プロセッサは、前記操作ボタンに対応付ける機能またはコンテンツを任意に設定する、
請求項１に記載の電子機器。
【請求項３】
前記プロセッサは、前記イヤホンからの音声再生を伴う複数の機能または前記イヤホンからの音声再生の対象となる複数のコンテンツの中から、任意の機能またはコンテンツを前記操作ボタンに対応付けて設定し、
前記プロセッサにより実行される第２制御では、
前記操作ボタンが押された状態で前記イヤホンの接続を検出した場合に、前記押された操作ボタンに対応付けられて設定された前記イヤホンからの音声再生を伴う機能または前記イヤホンからの音声再生の対象となるコンテンツを選択する、
請求項１または請求項２に記載の電子機器。
【請求項４】
前記イヤホンは複数の操作ボタンを有し、
前記複数の操作ボタンそれぞれに対して、互いに異なる機能またはコンテンツが対応付けられており、
前記プロセッサは、前記複数の操作ボタンのうちの押された操作ボタンに対応付けられている機能またはコンテンツを選択する、
請求項１ないし請求項３の何れか一項に記載の電子機器。
【請求項５】
前記イヤホンからの音声再生を伴う機能または前記イヤホンからの音声再生の対象となるコンテンツは、メイン機能と当該メイン機能に関するサブ機能またはコンテンツであり、
前記プロセッサにより実行される第２制御では、更に、
特定の前記メイン機能が実行されている状態で前記イヤホンの接続を検出した場合、前記押された操作ボタンに対応付けられている、前記実行されているメイン機能に関するサブ機能またはコンテンツを選択する、
請求項１ないし請求項４の何れか一項に記載の電子機器。
【請求項６】
前記プロセッサにより実行される第２制御では、
前記操作ボタンが押された状態で前記イヤホンの接続を検出した場合に、複数の操作ボタンのそれぞれに対応付けられてユーザ任意に設定されている異なる機能またはコンテンツに基づいて、前記押された操作ボタンに対応付けられた機能またはコンテンツを選択する、
請求項１ないし請求項５の何れか一項に記載の電子機器。
【請求項７】
前記操作ボタン付きイヤホンはマイク付きイヤホンであり、
前記プロセッサにより実行される第２制御では、
前記操作ボタンが押された状態で前記イヤホンの接続を検出した場合に、前記押された操作ボタンに対応付けられているスピーキング学習に関する機能またはコンテンツを選択することを含む、
請求項１ないし請求項６の何れか一項に記載の電子機器。
【請求項８】
前記プロセッサにより実行される第２制御では、
前記操作ボタンが押された状態で前記イヤホンの接続を検出した場合に、前記押された操作ボタンに対応付けられている辞書検索に関する機能または辞書コンテンツを選択することを含む、
請求項１ないし請求項７の何れか一項に記載の電子機器。
【請求項９】
操作ボタン付きイヤホンを接続可能な電子機器のプロセッサにより、
前記イヤホンが既に接続された状態で前記操作ボタンの操作を検出した場合に、前記イヤホンからの音声再生の状態を制御する第１制御を実行し、
前記操作ボタンが押された状態で前記イヤホンの接続を検出した場合に、前記押された操作ボタンに対応付けられている機能またはコンテンツを選択する前記第１制御とは異なる第２制御を実行する、
機能選択方法。
【請求項１０】
操作ボタン付きイヤホンを接続可能な電子機器のプロセッサを、
前記イヤホンが既に接続された状態で前記操作ボタンの操作を検出した場合に、前記イヤホンからの音声再生の状態を制御する第１制御を実行し、
前記操作ボタンが押された状態で前記イヤホンの接続を検出した場合に、前記押された操作ボタンに対応付けられている機能またはコンテンツを選択する前記第１制御とは異なる第２制御を実行する、
ように機能させるためのプログラム。
【発明の詳細な説明】
【技術分野】
【０００１】
本発明は、操作ボタン付きイヤホンを接続可能な電子機器、機能選択方法およびプログラムに関する。
【背景技術】
【０００２】
イヤホンからの音声を聞きながら単語の暗記学習が可能な携帯型の学習機が知られている（例えば、特許文献１参照。）。
【０００３】
また、機器本体にイヤホンを接続することで自動的に当該機器の機能を切り換えられるようにする技術も知られている（例えば、特許文献２参照。）。
【０００４】
しかしながら、例えば、通勤電車の中などの自由に機器の画面を見たり機器の操作を行ったりすることが難しい状況で、イヤホンを接続して機器を利用しようとした場合に、より簡単に所望の機能を実行させることは難しかった。
【先行技術文献】
【特許文献】
【０００５】
【特許文献１】特開平１１−３０５６４３号公報
【特許文献２】特開２０１１−２３９３９５号公報
【発明の概要】
【発明が解決しようとする課題】
【０００６】
例えば、イヤホンを接続可能な語学学習機において、ユーザが、学習機の内蔵スピーカにより音声を出力させて自宅で利用するときの機能（例えば、スピーキング練習機能）と、学習機にイヤホンを接続して通勤電車で利用するときの機能（例えば、リスニング練習機能）とが異なる場合、ユーザは、通勤電車に乗るあるいは乗った際に、学習機にイヤホンを接続し、さらに、機能選択用のメニュー画面から所望の機能（ここでは、リスニング練習機能）を選択して実行させる操作を行わなければならない。
【０００７】
本発明が解決しようとする課題は、イヤホンを接続して機器を利用しようとした場合に、メニュー操作を行なう必要なく、素早く所望の機能を実行させることが可能になる電子機器、機能選択方法およびプログラムを提供することにある。
【課題を解決するための手段】
【０００８】
本発明に係る電子機器は、操作ボタン付きイヤホンを接続可能な電子機器であって、
プロセッサを備え、
前記プロセッサは、
前記イヤホンが既に接続された状態で前記操作ボタンの操作を検出した場合に、前記イヤホンからの音声再生の状態を制御する第１制御を実行し、
前記操作ボタンが押された状態で前記イヤホンの接続を検出した場合に、前記押された操作ボタンに対応付けられている機能またはコンテンツを選択する前記第１制御とは異なる第２制御を実行する、ことを特徴としている。
【図面の簡単な説明】
【０００９】
【図１】本発明の電子機器、機能選択方法およびプログラムの実施形態に係る学習支援装置１０の外観構成を示す図。
【図２】学習支援装置１０の電子回路の構成を示すブロック図。
【図３】学習支援装置１０の選択機能設定データ記憶部１２ｆに記憶される選択機能設定データの一例を示す図。
【図４】学習支援装置１０の本体に操作ボタン付きイヤホンマイク２１が接続された状態での各操作ボタンＢ１，Ｂ２，Ｂ３の押下操作に応じた本体の動作を示すテーブル。
【図５】学習支援装置１０によるイヤホン接続イベント処理の基本的な流れを示すフローチャート。
【図６】学習支援装置１０のイヤホン接続イベント処理に従ったユーザ操作に伴う動作状態の一例を示す図。
【図７】学習支援装置１０のイヤホン接続イベント処理を含む機能選択処理を示すフローチャート。
【図８】学習支援装置１０の機能選択処理に含まれるイヤホン接続イベント処理の詳細な流れを示すフローチャート。
【図９】学習支援装置１０のイヤホンボタン押下イベント処理を示すフローチャート。
【発明を実施するための形態】
【００１０】
以下図面を参照して、本発明の実施の形態について説明する
図１は、本発明の電子機器、機能選択方法およびプログラムの実施形態に係る学習支援装置１０の外観構成を示す図である。
【００１１】
電子機器は、以下に説明する操作ボタン付きイヤホンを接続可能な専用の学習支援装置（電子辞書）１０として構成されるか、操作ボタン付きイヤホンを接続可能な、タブレット型のＰＤＡ(personal digital assistants)、ＰＣ(personal computer)、携帯電話、電子ブック、携帯ゲーム機などとして構成される。
【００１２】
学習支援装置１０の本体は、例えば、縦６０ｍｍ×横１００ｍｍ×高さ１０ｍｍ程度の長方形で平板状の機器筐体に納めて構成され、機器筐体の正面中央にタッチパネル付きのカラー液晶表示部（表示部）１７が設けられ、機器筐体の正面上部に本体スピーカ１９Ｓを有する音声出力部１９が設けられる。
【００１３】
また、機器筐体の右側面の上部には、操作ボタン付きイヤホンマイク２１のプラグを挿し込んで接続するための外部接続端子（ＥＸ）２０が設けられる。
【００１４】
実施形態の操作ボタン付きイヤホンマイク２１は、イヤホン２１ｓを有すると共に、３つの操作ボタン（［＋］ボタンＢ１，［−］ボタンＢ２，［＞］ボタンＢ３）およびマイク２１ｍを備えたリモコン部２１Ｒを有する。
【００１５】
操作ボタン付きイヤホンマイク２１のプラグは、４極プラグであり、４つの電極はそれぞれ、例えば、イヤホン２１ｓへ出力する音声信号に対応する電極と、マイク２１ｍから入力された音声信号に対応する電極と、操作ボタンＢ１，Ｂ２，Ｂ３の操作信号に対応する電極と、接地（ＧＮＤ）電極として機能する。
【００１６】
操作ボタンＢ１，Ｂ２，Ｂ３の操作信号は、［＋］ボタンＢ１が押下された場合の操作信号と、［−］ボタンＢ２が押下された場合の操作信号と、［＞］ボタンＢ３が押下された場合の操作信号とが、それぞれ異なる抵抗値の抵抗を介した異なる電圧値（または電流値）の操作信号としてプラグおよび外部接続端子２０を介し本体に導出される。
【００１７】
これにより、本体の側では、外部接続端子２０に操作ボタン付きイヤホンマイク２１が接続されたことを検出できるだけでなく、何れの操作ボタンＢｎが押下されているか、または何れの操作ボタンＢｎも押下されていないか、を検出できる。
【００１８】
学習支援装置１０は、例えば、語学学習用の学習支援装置（電子辞書）１０であって、図１では、英語“ENGLISH”のテスト［TEST］、ボキャブラリ練習［VOCABULARY］、リスニング練習［LISTENING］、スピーキング練習［SPEAKING］、［英和辞書］、…など、各種の機能またはコンテンツをユーザ操作に応じて選択するための機能選択用のメニュー画面ＧＭが表示部１７に表示された状態を示している。
【００１９】
実施形態の学習支援装置１０は、操作ボタン付きイヤホンマイク２１のリモコン部２１Ｒの操作ボタンＢｎを押下しながら、当該操作ボタン付きイヤホンマイク２１のプラグを、本体の外部接続端子２０に挿し込んで接続することにより、ユーザによって任意に設定されている機能またはコンテンツを選択して実行するイヤホン接続イベント機能を有する。
【００２０】
図１では、例えば、ユーザＦが、操作ボタン付きイヤホンマイク２１のリモコン部２１Ｒの［＋］ボタンＢ１を押下しながら、当該操作ボタン付きイヤホンマイク２１のプラグを、本体の外部接続端子２０に挿し込んで接続することにより（矢印Ｐ１）、リスニング練習の機能が選択されて実行され、イヤホン２１ｓからリスニング練習の音声“Day 2 ! …”が出力される状態（矢印Ｐ２）のイメージを示している。
【００２１】
図２は、学習支援装置１０の電子回路の構成を示すブロック図である。
【００２２】
学習支援装置１０の電子回路は、コンピュータであるＣＰＵ（プロセッサ）１１を備える。
【００２３】
ＣＰＵ１１は、フラッシュＲＯＭなどの記憶部１２に予め記憶されたプログラム（学習支援処理プログラム１２ａおよび機能選択処理プログラム１２ｂを含む）、あるいはメモリカードなどの外部記録媒体１３から記録媒体読取部１４により読み取られて記憶部１２に記憶されたプログラム、あるいは通信ネットワークＮ上のＷｅｂサーバ（ここではプログラムサーバ）３０から通信部１５を介してダウンロードされ記憶部１２に記憶されたプログラム、に従って回路各部の動作を制御する。
【００２４】
ＣＰＵ１１には、データ及び制御バスを介して、記憶部１２、記録媒体読取部１４、通信部１５を接続するほか、キー入力部１６、表示部１７、音声入力部１８、音声出力部１９、を接続する。
【００２５】
音声入力部１８は、ユーザ等の音声を入力する本体マイク１８Ｍを備える。
【００２６】
音声出力部１９は、記憶部１２に記憶されているかあるいは録音された音声データに基づく音声を出力する本体スピーカ１９Ｓを備える。
【００２７】
音声入力部１８および音声出力部１９は、共用の外部接続端子（ＥＸ）２０を備え、外部接続端子２０には、ユーザが必要に応じて、操作ボタン付きイヤホンマイク２１を接続する（挿し込む）。
【００２８】
本体スピーカ１９Ｓからの音声の出力と、イヤホンマイク２１のイヤホン２１ｓからの音声の出力とは、外部接続端子２０に対するイヤホンマイク２１の接続（挿し込み）検出に応じて自動的に切り替える。
【００２９】
記憶部１２は、プログラム（学習支援処理プログラム１２ａおよび機能選択処理プログラム１２ｂを含む）を記憶するプログラム記憶部のほか、学習コンテンツ記憶部１２ｃ、辞書データ記憶部１２ｄ、イヤホン接続／押下ボタン判定データ記憶部１２ｅ、選択機能設定データ記憶部１２ｆ、メイン機能自動選択モードデータ記憶部１２ｇ、および表示データ記憶部１２ｈ、を備える。
【００３０】
学習支援処理プログラム１２ａとしては、学習支援装置１０の全体の動作を司るシステムプログラム、通信部１５を介して外部の電子機器と通信接続するためのプログラム、および機能選択処理プログラム１２ｂと併せて学習コンテンツ記憶部１２ｃや辞書データ記憶部１２ｄに記憶されているコンテンツデータに応じた学習機能を実行するためのプログラムなどを記憶する。
【００３１】
機能選択処理プログラム１２ｂは、表示部１７に表示させたメニュー画面ＧＭからユーザ操作に応じた機能を選択して実行したり、操作ボタン付きイヤホンマイク２１が外部接続端子（ＥＸ）２０に接続されたことに伴い当該イヤホンマイク２１のリモコン部２１Ｒの何れかの操作ボタンＢｎが押下されている状態であることに応じて予め設定されている機能を選択して実行したりするための、イヤホン接続イベント機能に対応するプログラムを含む。
【００３２】
学習コンテンツ記憶部１２ｃは、例えば、リスニングレッスンデータ１２ｃ１、スピーキングレッスンデータ１２ｃ２、などの学習コンテンツデータを記憶する。
【００３３】
リスニングレッスンデータ１２ｃ１は、例えば、リスニングレッスンの模範となる単語と文章に対応するテキストデータと音声データを有し、単語または文章のテキストデータを表示部１７に表示させ、音声データを音声出力部１９から出力する機能を有する。
【００３４】
スピーキングレッスンデータ１２ｃ２は、例えば、スピーキングレッスンの模範となるテキストデータと音声データを有し、テキストデータを表示部１７に表示させ、音声データを音声出力部１９から出力した後に、音声入力部１８から入力したユーザの音声データを解析し、正誤等の判定結果を表示や音声により出力する機能を有する。
【００３５】
辞書データ記憶部１２ｄは、例えば、英和辞書、和英辞書、英英辞書、国語辞書などの各種の辞書コンテンツデータを記憶し、辞書コンテンツデータは、例えば、ユーザ操作に応じてキー入力または音声入力される辞書検索の対象となる見出し語に基づいて、当該見出し語に対応する説明情報を辞書検索して表示や音声により出力する機能を有する。
【００３６】
イヤホン接続／押下ボタン判定データ記憶部１２ｅは、操作ボタン付きイヤホンマイク２１が外部接続端子（ＥＸ）２０に挿し込まれて接続されたことがＣＰＵ１１により検出されると共に、当該イヤホンマイク２１の操作ボタンＢ１，Ｂ２，Ｂ３の何れかが押下されていることがＣＰＵ１１により検出された際に、ＣＰＵ１１が何れの操作ボタンＢｎが押下されているのかを判定した操作ボタンＢｎの判定データを記憶する。
【００３７】
選択機能設定データ記憶部１２ｆは、イヤホン接続イベント機能に従って選択対象になる各種の機能やコンテンツを示すデータが、ユーザ操作に応じて設定された選択機能設定データとして記憶される（図３参照）。
【００３８】
図３は、学習支援装置１０の選択機能設定データ記憶部１２ｆに記憶される選択機能設定データの一例を示す図である。
【００３９】
図３に示す選択機能設定データとしては、例えば、操作ボタン付きイヤホンマイク２１の操作ボタン（［＋］ボタンＢ１、［−］ボタンＢ２、［＞］ボタンＢ３、…）をそれぞれ示すデータ（［＞］［＋］［−］…）に対応付けられて、音声再生の基本機能を示すデータ（［再生／停止］［音量アップ］［音量ダウン］…）と、選択対象になるメイン機能を示すデータ（［スピーキング練習］［リスニング練習］［英和辞書］…）と、選択されたメイン機能がリスニング練習である場合に更に選択対象になるサブ機能（またはコンテンツ）を示すデータ（［音声１を標準再生］［音声２を高速再生］［音声１をスロー再生］…）と、選択されたメイン機能がスピーキング練習である場合に更に選択対象になるサブ機能（またはコンテンツ）を示すデータ（［テキスト１］［テキスト２］［前回のテキスト］…）と、が記憶されている。
【００４０】
メイン機能自動選択モードデータ記憶部１２ｇは、選択機能設定データ記憶部１２ｆに記憶される選択機能設定データに関わらず、イヤホン接続イベント機能に従って自動的に選択されて実行されるメイン機能の自動選択モードを示すデータが、例えば、リスニング練習自動選択モードまたはスピーキング練習自動選択モードのデータとして記憶される。
【００４１】
表示データ記憶部１２ｈは、学習支援装置１０の動作に応じてＣＰＵ１１が表示部１７に表示させる、例えばビットマップ形式の被表示データを記憶する。
【００４２】
図４は、学習支援装置１０の本体に操作ボタン付きイヤホンマイク２１が接続された状態での各操作ボタンＢ１，Ｂ２，Ｂ３の押下操作に応じた本体の動作を示すテーブルである。
【００４３】
学習コンテンツデータ（１２ｃ）または辞書コンテンツデータ（１２ｄ）などの何らかのコンテンツデータに応じた音声を、ＣＰＵ１１が再生してイヤホン２１ｓから出力させる場合に、［＋］ボタンＢ１が押下（単押し）されると音声の音量がアップされ、［−］ボタンＢ２が押下（単押し）されると音声の音量がダウンされ、［＞］ボタンＢ３が押下（単押し）されると音声の再生開始または再生中の音声の一時停止が行われ、［＞］ボタンＢ３が２回連続して押下されると再生対象の音声が次の音声に送られ、［＞］ボタンＢ３が３回連続して押下されると再生中の音声の頭出しまたは前送りが行われる。
【００４４】
このように構成された学習支援装置１０は、ＣＰＵ１１が学習支援処理プログラム１２ａおよび機能選択処理プログラム１２ｂに記述された命令に従い回路各部の動作を制御し、ソフトウエアとハードウエアとが協働して動作することにより、以下の動作説明で述べるような、イヤホン接続イベント処理を含む各種の機能を実現する。
【００４５】
次に、実施形態の学習支援装置（電子辞書）１０の動作について説明する。
【００４６】
図５は、学習支援装置（電子辞書）１０によるイヤホン接続イベント処理の基本的な流れを示すフローチャートである。
【００４７】
図６は、学習支援装置（電子辞書）１０のイヤホン接続イベント処理に従ったユーザ操作に伴う動作状態の一例を示す図である。
【００４８】
例えば、図６（Ａ）に示すように、学習支援装置１０の表示部１７にメニュー画面ＧＭが表示されている状態で、操作ボタン付きイヤホンマイク２１のリモコン部２１Ｒの［＋］ボタンＢ１をユーザＦにより押下したまま、当該イヤホンマイク２１のプラグを、矢印Ｐ１に示すように、学習支援装置１０の外部接続端子（ＥＸ）２０に挿し込んで接続すると、ＣＰＵ１１は、選択機能設定データ記憶部１２ｆに選択機能設定データが設定済みであるか否かを判定する（ステップＳ１）。
【００４９】
選択機能設定データ記憶部１２ｆに、図３で示したように、選択機能設定データが設定済みであると判定されると（ステップＳ１のＹＥＳ）、ＣＰＵ１１は、イヤホン接続／押下ボタン判定データ（１２ｅ）に基づいて、イヤホンマイク２１の［＋］ボタンＢ１が押下状態であると判定する（ステップＳ２のＹＥＳ）。
【００５０】
するとＣＰＵ１１は、［＋］ボタンＢ１に対応付けられて設定されているメイン機能［リスニング練習］に従って、学習コンテンツ記憶部１２ｃのリスニングレッスンデータ１２ｃ１を選択して実行し、図６（Ｂ）に示すように、リスニング英会話の先頭画面ＧＲ１をその先頭フレーズを指定表示ｈさせた状態で表示部１７に表示させると共に、イヤホン２１ｓから音声出力の準備完了を知らせるビープ音“ピッ”を出力させる（ステップＳ３）。
【００５１】
このときユーザは、ビープ音“ピッ”によって、［＋］ボタンＢ１に対応付けて予め設定したメイン機能［リスニング練習］による音声出力の開始の準備ができたことを、表示部１７（リスニング英会話の先頭画面ＧＲ１）を確認することなく知ることができる。
【００５２】
そして、図６（Ｃ）の矢印Ｐ２に示すように、イヤホンマイク２１の［＋］ボタンＢ１に対するユーザＦの押下状態が解消されると（ステップＳ４のＮＯ）、図６（Ｄ）に示すように、ＣＰＵ１１は、リスニング英会話の先頭フレーズの音声“Day 1 ! …”の再生を開始してイヤホン２１ｓから出力させる（ステップＳ５）。
【００５３】
これによりユーザは、イヤホンマイク２１の［＋］ボタンＢ１を押下しながら当該イヤホンマイク２１のプラグを、学習支援装置１０の外部接続端子（ＥＸ）２０に接続するだけで、表示部１７に表示されたメニュー画面ＧＭでの操作などを一切行なう必要なく、同ユーザにより予め設定したメイン機能［リスニング練習］による音声出力を開始させ、リスニング英会話の学習を開始できる。
【００５４】
この後、例えば、イヤホンマイク２１の何れかの操作ボタン（［＋］ボタンＢ１、［−］ボタンＢ２、［＞］ボタンＢ３）が押下操作されると、ＣＰＵ１１は、図４を参照して前述したように、押下操作されたボタンＢｎに応じて、出力されている音声の音量の制御、再生／一時停止の制御、次送り／頭出し／前送りの制御を行なう（ステップＳ６）。あるいは、学習支援装置１０の本体に対するユーザ操作に応じて、ＣＰＵ１１は、当該ユーザ操作に応じた制御を行なう（ステップＳ６）。
【００５５】
なお、ステップＳ１において、ＣＰＵ１１により、選択機能設定データが設定済みであると判定された場合であっても（ステップＳ１のＹＥＳ）、ステップＳ２において、イヤホンマイク２１の操作ボタンＢｎが押下状態にないと判定された場合には（ステップＳ２のＮＯ）、ＣＰＵ１１は、例えば、それまでの状態を維持し、一連のイヤホン接続イベント処理を終了する。
【００５６】
一方、操作ボタン付きイヤホンマイク２１のプラグを、学習支援装置１０の外部接続端子（ＥＸ）２０に挿し込んで接続した際に、ＣＰＵ１１により、選択機能設定データ記憶部１２ｆに選択機能設定データが設定されていないと判定された場合は（ステップＳ１のＮＯ）、ＣＰＵ１１は、何らかの機能またはコンテンツに応じた音声の再生が一時停止されているか否かを判定する（ステップＳ７）。
【００５７】
ここで、何らかの機能またはコンテンツに応じた音声の再生が一時停止されていると判定されると、ＣＰＵ１１は、当該一時停止されている音声の再生を再開し（ステップＳ８）、その他の処理へ進む（ステップＳ６）。
【００５８】
なお、ステップＳ７において、ＣＰＵ１１により、何らかの機能またはコンテンツに応じた音声の再生が一時停止されている状態ではないと判定された場合は（ステップＳ７のＮＯ）、ＣＰＵ１１は、例えば、それまでの状態を維持し、一連のイヤホン接続イベント処理を終了する。
【００５９】
なお、図５を参照して説明したイヤホン接続イベント処理の基本的な流れでは、押下操作の状態にある操作ボタンＢｎに対応付けられて、選択機能設定データ（１２ｆ）に設定されているメイン機能を選択して実行する場合について説明したが、例えば、メニュー画面ＧＭに基づいて、何れかのメイン機能が既に選択されて実行されている状態で、イヤホンマイク２１の何れかの操作ボタンＢｎを押下操作したまま、同イヤホンマイク２１を本体に挿し込んで接続した場合でも、ＣＰＵ１１は、ステップＳ１〜Ｓ５の処理に従って、押下操作の状態にある操作ボタンＢｎに対応付けられて、選択機能設定データ（１２ｆ）に設定されているサブ機能を選択して実行する。
【００６０】
例えば、メイン機能である［リスニング練習］が選択されて実行されている状態で、イヤホンマイク２１の［＞］ボタンＢ３を押下操作したまま、同イヤホンマイク２１を本体に挿し込んで接続すると、ＣＰＵ１１は、［＞］ボタンＢ３に対応付けられて選択機能設定データ（図３参照）に設定されているリスニング練習のサブ機能［音声１を標準再生］を選択して実行する（ステップＳ１〜Ｓ５）。
【００６１】
図７は、学習支援装置（電子辞書）１０のイヤホン接続イベント処理を含む機能選択処理を示すフローチャートである。
【００６２】
学習支援装置１０の電源がＯＮされ（ステップＱ１のＹＥＳ）、表示部１７にメニュー画面ＧＭが表示された状態で（ステップＱ２）、ユーザが、操作ボタン付きイヤホンマイク２１の何れかの操作ボタンＢｎを押下操作したまま、当該イヤホンマイク２１を本体の外部入力端子（ＥＸ）２０に接続することにより、ＣＰＵ１１により、イヤホン接続イベント機能に従ってメイン機能が選択されると（ステップＱ３のＹＥＳ）、選択されたメイン機能が実行される（ステップＱ５）（図５のステップＳ１〜Ｓ５の処理に対応）。
【００６３】
なお、イヤホン接続イベント機能に従ってメイン機能が選択されていない場合に（ステップＱ３のＮＯ）、表示部１７に表示されているメニュー画面ＧＭに基づいて、ユーザ操作に応じたメイン機能が選択されると（ステップＱ４のＹＥＳ）、ＣＰＵ１１は、メニュー画面ＧＭに基づき選択されたメイン機能を実行する（ステップＱ５）。
【００６４】
また、ステップＱ３〜Ｑ５の処理に従い、メニュー画面ＧＭに基づいてメイン機能が選択されて実行された状態で、操作ボタン付きイヤホンマイク２１の何れかの操作ボタンＢｎを押下操作したまま、当該イヤホンマイク２１を本体の外部入力端子（ＥＸ）２０に接続することにより、ＣＰＵ１１により、イヤホン接続イベント機能に従ってサブ機能が選択されると（ステップＱ６のＹＥＳ）、選択されたサブ機能が実行される（ステップＱ８）（図５のステップＳ１〜Ｓ５の処理に対応）。
【００６５】
なお、イヤホン接続イベント機能に従ってサブ機能が選択されていない場合に（ステップＱ６のＮＯ）、例えば、表示部１７に表示されている実行中のメイン機能に対応するサブ機能のメニュー画面に基づいて、ユーザ操作に応じたサブ機能が選択されると（ステップＱ７のＹＥＳ）、ＣＰＵ１１は、サブ機能のメニュー画面に基づき選択されたサブ機能を実行する（ステップＱ８）。
【００６６】
図８は、学習支援装置（電子辞書）１０の機能選択処理に含まれるイヤホン接続イベント処理の詳細な流れを示すフローチャートである。
【００６７】
図８に示すイヤホン接続イベント処理の詳細な流れにおいて、イヤホン接続イベント機能に従いメイン機能を選択して実行する処理（ステップＴ１〜Ｔ３／Ｔ１，Ｔ２→Ｔ９〜Ｔ１１／Ｔ１，Ｔ２→Ｔ１２〜Ｔ１４）は、図７で示したステップＱ３→Ｑ５の処理に対応し、また、イヤホン接続イベント機能に従いサブ機能を選択して実行する処理（ステップＴ１，Ｔ２→Ｔ４，Ｔ５／Ｔ１，Ｔ２→Ｔ７，Ｔ８）は、図７で示したステップＱ６→Ｑ８の処理に対応する。
【００６８】
操作ボタン付きイヤホンマイク２１の何れかの操作ボタンＢｎを押下操作した状態で、当該イヤホンマイク２１を本体の外部接続端子（ＥＸ）２０に挿し込んで接続した際に（ステップＴ１のＹＥＳ）、メイン機能が選択されていない場合には（ステップＴ２のＮＯ）、押下操作されている操作ボタンＢｎに対応付けられて選択機能設定データ（１２ｆ）にて設定されているメイン機能が選択されて実行される（ステップＴ３）。
【００６９】
すなわち、［＞］ボタンＢ３が押下操作されている場合には、メイン機能として［スピーキング練習］が選択されて実行され、［＋］ボタンＢ１が押下操作されている場合には、メイン機能として［リスニング練習］が選択されて実行され、［−］ボタンＢ２が押下操作されている場合には、メイン機能として［英和辞書］が選択されて実行される。
【００７０】
これによりユーザは、イヤホンマイク２１の何れかのボタンＢｎを押下しながら当該イヤホンマイク２１のプラグを、学習支援装置１０の外部接続端子（ＥＸ）２０に接続するだけで、ユーザが選択機能設定データ（１２ｆ）として設定したメイン機能の学習コンテンツデータ（１２ｎ）または辞書コンテンツデータ（１２ｄ）による音声出力を開始させて学習できる。
【００７１】
なお、選択機能設定データ（１２ｆ）により操作ボタンＢｎに対応するメイン機能が設定されている場合でも、リスニング練習自動選択モードを示すデータがメイン機能自動選択モードデータ記憶部１２ｇに設定されている場合には（ステップＴ９のＹＥＳ）、メイン機能として［リスニング練習］が選択されると共に（ステップＴ１０）、当該［リスニング練習］の練習用コンテンツとして［音声１］が選択され、［音声１］に応じた音声がイヤホン２１ｓから再生される（ステップＴ１１）。
【００７２】
また同様に、スピーキング練習自動選択モードを示すデータがメイン機能自動選択モードデータ記憶部１２ｇに設定されている場合には（ステップＴ１２のＹＥＳ）、メイン機能として［スピーキング練習］が選択されると共に（ステップＴ１３）、当該［スピーキング練習］の練習用コンテンツとして［テキスト１］が選択され、［テキスト１］に応じた音声がイヤホン２１ｓから再生されると共に、マイク２１ｍからユーザの音声を入力する待機状態になる（ステップＴ１４）。
【００７３】
この場合、ユーザは、イヤホンマイク２１の何れかの操作ボタンＢｎを押下操作しながら、当該イヤホンマイク２１を本体に接続するだけで、当該押下操作の操作ボタンＢｎおよび選択機能設定データ（１２ｆ）の設定内容に関わらず、［リスニング練習］の練習用コンテンツ［音声１］の再生を自動的に開始させるか、または［スピーキング練習］の練習用コンテンツ［テキスト１］の再生を自動的に開始させて学習できる。
【００７４】
一方、操作ボタン付きイヤホンマイク２１の何れかの操作ボタンＢｎを押下操作した状態で、当該イヤホンマイク２１を本体の外部接続端子（ＥＸ）２０に挿し込んで接続した際に（ステップＴ１のＹＥＳ）、メイン機能が選択されている場合には（ステップＴ２のＹＥＳ）、押下操作されている操作ボタンＢｎに対応付けられて選択機能設定データ（１２ｆ）にて設定されているサブ機能が選択されて実行される（ステップＴ４，Ｔ５／Ｔ７，Ｔ８）。
【００７５】
すなわち、メイン機能として［リスニング練習］が選択されている状態で、［＞］ボタンＢ３が押下操作されている場合には［リスニング練習］の練習用コンテンツ［音声１］が選択されて標準再生が開始され、［＋］ボタンＢ１が押下操作されている場合には［リスニング練習］の練習用コンテンツ［音声２］が選択されて高速再生が開始され、［−］ボタンＢ２が押下操作されている場合には［リスニング練習］の練習用コンテンツ［音声１］が選択されてスロー再生が開始される（ステップＴ４，Ｔ５）。
【００７６】
また、メイン機能として［スピーキング練習］が選択されている状態で、［＞］ボタンＢ３が押下操作されている場合には［スピーキング練習］の練習用コンテンツ［テキスト１］が選択されて再生が開始され、［＋］ボタンＢ１が押下操作されている場合には［スピーキング練習］の練習用コンテンツ［テキスト２］が選択されて再生が開始され、［−］ボタンＢ２が押下操作されている場合には［スピーキング練習］の前回再生した練習用コンテンツ［テキストｎ］が選択されて再生が開始される（ステップＴ７，Ｔ８）。
【００７７】
また、個別の図示はしないが、例えば、メイン機能として［英和辞書］が選択されている状態で、［＞］ボタンＢ３が押下操作されている場合には［総合ジャンルの英和辞書コンテンツ］が選択されて再生が開始され、［＋］ボタンＢ１が押下操作されている場合には［科学技術専門の英和辞書コンテンツ］が選択されて再生が開始され、［−］ボタンＢ２が押下操作されている場合には［芸術専門の英和辞書コンテンツ］が選択されて再生が開始されるなど、のように構成してもよい（ステップＴ６）。
【００７８】
これによりユーザは、イヤホンマイク２１の何れかのボタンＢｎを押下しながら当該イヤホンマイク２１のプラグを、学習支援装置１０の外部接続端子（ＥＸ）２０に接続するだけで、現在選択されているメイン機能において、ユーザが選択機能設定データ（１２ｆ）として設定したサブ機能のコンテンツによる再生を開始させて学習できる。
【００７９】
なお、ステップＴ６に対応するその他の処理は、図５で示したステップＳ６に対応するその他の処理と同様であるため、ここでの説明を省略する。
【００８０】
図９は、学習支援装置（電子辞書）１０のイヤホンボタン押下イベント処理を示すフローチャートである。
【００８１】
イヤホンボタン押下イベント処理は、学習支援装置１０の本体にボタン付きイヤホンマイク２１が接続されている状態において、当該イヤホンマイク２１の操作ボタンＢｎが押下操作されたことに応じて本体の側で実行される処理であり、ＣＰＵ１１は、前述の図４で示したテーブルに従った処理を行なう。
【００８２】
すなわち、ＣＰＵ１１は、操作ボタンＢｎの押下操作（［＋］ボタンＢ１の単押し／［−］ボタンＢ２の単押し／［＞］ボタンＢ３の単押し／［＞］ボタンＢ３の２連続押し／［＞］ボタンＢ３の３連続押し）により音声再生の機能が選択されることに対応して（ステップＥ１）、選択された音声再生の機能（音量アップ／音量ダウン／音声の再生又は一時停止／音声の次送り／音声の頭出し又は前送り）を実行する（ステップＥ２）。
【００８３】
したがって、実施形態の学習支援装置（電子辞書）１０によれば、操作ボタン付きイヤホンマイク２１が接続されている状態においてボタンＢｎが押下操作された場合には、押下操作されたボタンＢｎに対応した音声再生の状態を制御する第１制御（音量調整／再生／停止／次送り／頭出し／前送りなど）を行ない、ボタンＢｎを押下操作した状態でイヤホンマイク２１の接続が検出された場合には、選択機能設定データ（１２ｆ）およびメイン機能自動選択モードデータ（１２ｇ）によりボタンＢｎに対応付けられているメイン機能（リスニング練習／スピーキング練習／英和辞書など）またはサブ機能（選択中のメイン機能に応じたコンテンツ）を選択する第２制御を実行する。
【００８４】
これにより、ユーザは、イヤホンマイク２１の何れかの操作ボタンＢｎを押下しながら当該イヤホンマイク２１を本体に接続するだけで、メニュー画面ＧＭに基づく機能やコンテンツの選択操作を行なう必要なく、素早く所望の機能やコンテンツを実行させることができる。
【００８５】
なお、実施形態では、操作ボタン付きイヤホンとして、４極プラグを有する操作ボタン付きイヤホンマイク２１を用いた場合について説明したが、これに限らず、操作ボタンを押下操作した状態で学習支援装置（電子辞書）１０の本体にプラグを接続したことが、当該本体の側で検出することができれば、別の種類の操作ボタン付きイヤホンであってもよい。
【００８６】
前記各実施形態において記載した電子機器（学習支援装置（電子辞書））１０による各処理の手法、すなわち、図５のフローチャートに示すイヤホン接続イベント処理の基本的な流れ、図７のフローチャートに示すイヤホン接続イベント処理を含む機能選択処理、図８のフローチャートに示すイヤホン接続イベント処理の詳細な流れ、図９のフローチャートに示すイヤホンボタン押下イベント処理などの各手法は、何れもコンピュータに実行させることができるプログラムとして、メモリカード（ＲＯＭカード、ＲＡＭカードなど）、磁気ディスク（フロッピ（登録商標）ディスク、ハードディスクなど）、光ディスク（ＣＤ−ＲＯＭ、ＤＶＤなど）、半導体メモリなどの外部記録装置の媒体に格納して配布することができる。そして、操作ボタン付きイヤホンを接続可能な電子機器のコンピュータ（ＣＰＵ）は、この外部記録装置の媒体に記録されたプログラムを記憶装置に読み込み、この読み込んだプログラムによって動作が制御されることにより、前記各実施形態において説明したイヤホン接続イベント機能を実現し、前述した手法による同様の処理を実行することができる。
【００８７】
また、前記各手法を実現するためのプログラムのデータは、プログラムコードの形態として通信ネットワーク（Ｎ）上を伝送させることができ、この通信ネットワーク（Ｎ）に接続されたコンピュータ装置（プログラムサーバ）から前記プログラムのデータを、操作ボタン付きイヤホンを接続可能な電子機器に取り込んで記憶装置に記憶させ、前述したイヤホン接続イベント機能を実現することもできる。
【００８８】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００８９】
以下に、本願出願の当初の特許請求の範囲に記載された発明を付記する。
【００９０】
［付記１］
操作ボタン付きイヤホンを接続可能な電子機器であって、
プロセッサを備え、
前記プロセッサは、
前記イヤホンが既に接続された状態で前記操作ボタンの操作を検出した場合に、前記イヤホンからの音声再生の状態を制御する第１制御を実行し、
前記操作ボタンが押された状態で前記イヤホンの接続を検出した場合に、前記押された操作ボタンに対応付けられている機能またはコンテンツを選択する前記第１制御とは異なる第２制御を実行する、
電子機器。
【００９１】
［付記２］
前記プロセッサは、前記操作ボタンに対応付ける機能またはコンテンツを任意に設定する、
付記１に記載の電子機器。
【００９２】
［付記３］
前記プロセッサは、前記イヤホンからの音声再生を伴う複数の機能または前記イヤホンからの音声再生の対象となる複数のコンテンツの中から、任意の機能またはコンテンツを前記操作ボタンに対応付けて設定し、
前記プロセッサにより実行される第２制御では、
前記操作ボタンが押された状態で前記イヤホンの接続を検出した場合に、前記押された操作ボタンに対応付けられて設定された前記イヤホンからの音声再生を伴う機能または前記イヤホンからの音声再生の対象となるコンテンツを選択する、
付記１または付記２に記載の電子機器。
【００９３】
［付記４］
前記イヤホンは複数の操作ボタンを有し、
前記複数の操作ボタンそれぞれに対して、互いに異なる機能またはコンテンツが対応付けられており、
前記プロセッサは、前記複数の操作ボタンのうちの押された操作ボタンに対応付けられている機能またはコンテンツを選択する、
付記１ないし付記３の何れかに記載の電子機器。
【００９４】
［付記５］
前記イヤホンからの音声再生を伴う機能または前記イヤホンからの音声再生の対象となるコンテンツは、メイン機能と当該メイン機能に関するサブ機能またはコンテンツであり、
前記プロセッサにより実行される第２制御では、更に、
特定の前記メイン機能が実行されている状態で前記イヤホンの接続を検出した場合、前記押された操作ボタンに対応付けられている、前記実行されているメイン機能に関するサブ機能またはコンテンツを選択する、
付記１ないし付記４の何れかに記載の電子機器。
【００９５】
［付記６］
前記プロセッサにより実行される第２制御では、
前記操作ボタンが押された状態で前記イヤホンの接続を検出した場合に、複数の操作ボタンのそれぞれに対応付けられてユーザ任意に設定されている異なる機能またはコンテンツに基づいて、前記押された操作ボタンに対応付けられた機能またはコンテンツを選択する、
付記１ないし付記５の何れかに記載の電子機器。
【００９６】
［付記７］
前記操作ボタン付きイヤホンはマイク付きイヤホンであり、
前記プロセッサにより実行される第２制御では、
前記操作ボタンが押された状態で前記イヤホンの接続を検出した場合に、前記押された操作ボタンに対応付けられているスピーキング学習に関する機能またはコンテンツを選択することを含む、
付記１ないし付記６の何れかに記載の電子機器。
【００９７】
［付記８］
前記プロセッサにより実行される第２制御では、
前記操作ボタンが押された状態で前記イヤホンの接続を検出した場合に、前記押された操作ボタンに対応付けられている辞書検索に関する機能または辞書コンテンツを選択することを含む、
付記１ないし付記７の何れかに記載の電子機器。
【００９８】
［付記９］
操作ボタン付きイヤホンを接続可能な電子機器のプロセッサにより、
前記イヤホンが既に接続された状態で前記操作ボタンの操作を検出した場合に、前記イヤホンからの音声再生の状態を制御する第１制御を実行し、
前記操作ボタンが押された状態で前記イヤホンの接続を検出した場合に、前記押された操作ボタンに対応付けられている機能またはコンテンツを選択する前記第１制御とは異なる第２制御を実行する、
機能選択方法。
【００９９】
［付記１０］
操作ボタン付きイヤホンを接続可能な電子機器のプロセッサを、
前記イヤホンが既に接続された状態で前記操作ボタンの操作を検出した場合に、前記イヤホンからの音声再生の状態を制御する第１制御を実行し、
前記操作ボタンが押された状態で前記イヤホンの接続を検出した場合に、前記押された操作ボタンに対応付けられている機能またはコンテンツを選択する前記第１制御とは異なる第２制御を実行する、
ように機能させるためのプログラム。
【符号の説明】
【０１００】
１０  …電子機器（学習支援装置（電子辞書））
１１  …ＣＰＵ（プロセッサ）
１２  …記憶部
１２ａ…学習支援処理プログラム
１２ｂ…機能選択処理プログラム
１２ｃ…学習コンテンツ記憶部
１２ｄ…辞書データ記憶部
１２ｅ…イヤホン接続／押下ボタン判定データ記憶部
１２ｆ…選択機能設定データ記憶部
１２ｇ…メイン機能自動選択モードデータ記憶部
１２ｈ…表示データ記憶部
１３  …外部記録媒体
１４  …記録媒体読取部
１５  …通信部
１６  …キー入力部
１７  …タッチパネル付きカラー液晶表示部
１８Ｍ…本体マイク
１９Ｓ…本体スピーカ
２０  …外部接続端子（ＥＸ）
２１  …操作ボタン付きイヤホンマイク
２１ｓ…イヤホン
２１Ｒ…リモコン部
Ｂ１  …［＋］ボタン
Ｂ２  …［−］ボタン
Ｂ３  …［＞］ボタン
２１ｍ…マイク
３０  …Ｗｅｂサーバ
Ｎ  …通信ネットワーク（インターネット）
ＧＭ  …メニュー画面
【図１】
2020150397.tif 000003
【図２】
2020150397.tif 000004
【図３】
2020150397.tif 000005
【図４】
2020150397.tif 000006
【図５】
2020150397.tif 000007
【図６】
2020150397.tif 000008
【図７】
2020150397.tif 000009
【図８】
2020150397.tif 000010
【図９】
2020150397.tif 000011